(57)【要約】【課題】メンテナンス時の作業性を損なうことなく防盗性の向上を図ること。【解決手段】本体キャビネット１０に対して外扉２０を所定の揺動軸心回りに開閉可能に支持する自動販売機のヒンジ装置において、外扉２０の内側部分に揺動軸心に合致したヒンジ軸部材４０を配設する一方、ヒンジ軸部材４０に直交する方向に沿って本体キャビネット１０の内側部分から外扉２０の内側部分に向けてヒンジプレート部材３０を延設し、このヒンジプレート部材３０の延設端部にヒンジ軸部材４０を回転可能に支承させることにより、本体キャビネット１０に対して外扉２０を開閉可能に支持させている。【選択図】        図２
2006023925.tif 000002
【特許請求の範囲】
【請求項１】
本体キャビネットに対して扉体を所定の揺動軸心回りに開閉可能に支持する自動販売機のヒンジ装置において、
本体キャビネット及び扉体のいずれか一方の内側部分に揺動軸心に合致したヒンジ軸部材を配設する一方、ヒンジ軸部材に直交する方向に沿って本体キャビネット及び扉体のいずれか他方の内側部分から一方の内側部分に向けてヒンジプレート部材を延設し、このヒンジプレート部材の延設端部にヒンジ軸部材を回転可能に支承させたことを特徴とする自動販売機のヒンジ装置。
【請求項２】
揺動軸心に交差する態様でヒンジ軸部材の先端部に抜け止めピンを配設する一方、ヒンジプレート部材におけるヒンジ軸部材の挿通孔にピン挿通溝を形成し、本体キャビネットに対して扉体を所定の開放位置に配置した場合に抜け止めピンをピン挿通溝に合致させることを特徴とする請求項１に記載の自動販売機のヒンジ装置。
【発明の詳細な説明】
【技術分野】
【０００１】
本発明は、自動販売機において外扉等の扉体を本体キャビネットに開閉可能に支持するためのヒンジ装置に関するものである。
【背景技術】
【０００２】
昨今の自動販売機においては、ヒンジ軸部材及びその支承体を本体キャビネットや外扉の内側部分に設けるようにしたものがある。例えば、外扉の内側部分にヒンジ軸部材を設ける一方、本体キャビネットの内側部分にヒンジ軸部材を支承するためのヒンジ部材を設けたヒンジ装置によれば、本体キャビネットに対して外扉を閉成した場合、ヒンジ装置が外部に露出しないため、これを破壊することが困難になり、その防盗性を向上させることが可能になる（例えば、特許文献１参照）。
【０００３】
【特許文献１】特開２００２−１５０３８７号公報
【発明の開示】
【発明が解決しようとする課題】
【０００４】
ところで、上述したヒンジ装置にあっては、外扉を開成した場合に外扉との干渉を避けるべくヒンジ部材に迂回部分を設ける必要がある。この迂回部分は、本体キャビネットの前面開口域に大きく張り出すものであり、本体キャビネットに対して商品収納ラックを出し入れする場合や商品収納ラックに商品を収納する場合に邪魔となり、メンテナンス時の作業性を損なう虞れがある。
【０００５】
本発明は、上記実情に鑑みて、メンテナンス時の作業性を損なうことなく防盗性の向上を図ることのできる自動販売機のヒンジ装置を提供することを目的とする。
【課題を解決するための手段】
【０００６】
上記の目的を達成するために、本発明の請求項１に係る自動販売機のヒンジ装置は、本体キャビネットに対して扉体を所定の揺動軸心回りに開閉可能に支持する自動販売機のヒンジ装置において、本体キャビネット及び扉体のいずれか一方の内側部分に揺動軸心に合致したヒンジ軸部材を配設する一方、ヒンジ軸部材に直交する方向に沿って本体キャビネット及び扉体のいずれか他方の内側部分から一方の内側部分に向けてヒンジプレート部材を延設し、このヒンジプレート部材の延設端部にヒンジ軸部材を回転可能に支承させたことを特徴とする。
【０００７】
また、本発明の請求項２に係る自動販売機のヒンジ装置は、上述した請求項１において、揺動軸心に交差する態様でヒンジ軸部材の先端部に抜け止めピンを配設する一方、ヒンジプレート部材におけるヒンジ軸部材の挿通孔にピン挿通溝を形成し、本体キャビネットに対して扉体を所定の開放位置に配置した場合に抜け止めピンをピン挿通溝に合致させることを特徴とする。
【発明の効果】
【０００８】
本発明によれば、本体キャビネット及び扉体の内側部分においてヒンジプレート部材をヒンジ軸部材に直交する方向に沿って延設するようにしているため、本体キャビネットの前面開口域を覆うことなく扉体との干渉を防止することが可能になる。従って、商品収納ラックを出し入れする際や商品収納ラックに商品を収納する場合に邪魔となる虞れもなく、メンテナンス時の作業性を何等損なうことなく防盗性の向上を図ることが可能になる。
【発明を実施するための最良の形態】
【０００９】
以下に添付図面を参照して、本発明に係る自動販売機のヒンジ装置の好適な実施の形態について詳細に説明する。
【００１０】
図１は、本発明の実施の形態であるヒンジ装置の適用対象となる一般的な自動販売機を示したものである。ここで例示する自動販売機は、缶入り飲料やペットボトル入り飲料等の商品を販売するためのもので、本体キャビネット１０を備えている。本体キャビネット１０は、図には明示していないが、その内部に商品収納ラックを介して商品を収納する断熱構造の箱体である。この本体キャビネット１０には、その前面開口を開閉する態様で外扉２０が設けてある。外扉２０は、本体キャビネット１０との間に設けたヒンジ装置により、本体キャビネット１０の一側縁部に開閉可能に支持させてある。図２に示すように、この実施の形態のヒンジ装置は、ヒンジプレート部材３０とヒンジ軸部材４０とを備えている。
【００１１】
ヒンジプレート部材３０は、図２〜図５に示すように、比較的厚肉の鋼板によって一体に構成したもので、上壁取付部３１、側壁取付部３２、斜面部３３及びヒンジ部３４を有している。上壁取付部３１は、ヒンジプレート部材３０のベースとなる平板状部分であり、ボルト挿通孔３１ａ及びボルト挿通溝３１ｂを有している。側壁取付部３２は、上壁取付部３１の一側端部から直角方向に向けて延在した部分であり、その延在端部にボルト挿通孔３２ａを有している。斜面部３３は、上壁取付部３１の手前側縁部から手前側に向けて漸次上方に傾斜する態様で延在した部分である。ヒンジ部３４は、斜面部３３の手前側縁部から上壁取付部３１に平行となる態様で延在した部分である。
【００１２】
このヒンジ部３４には、軸挿通孔３４ａ、ピン挿通溝３４ｂ及び逃げ溝３４ｃが設けてある。軸挿通孔３４ａは、後述するヒンジ軸部材４０を挿通するためのもので、ヒンジ部３４の延在方向に直交する態様でその一側部に貫設してある。この軸挿通孔３４ａを設けた部分は、ヒンジプレート部材３０において側壁取付部３２が延在する部分と同じ側である。ピン挿通溝３４ｂは、軸挿通孔３４ａの周面から径外方向に向けて細幅に形成した一対の切欠であり、軸挿通孔３４ａの軸心を通過する同一の直径に沿う態様で設けてある。逃げ溝３４ｃは、ヒンジ部３４の一側縁部から軸挿通孔３４ａの軸心を中心として形成した円弧状の切欠である。
【００１３】
ヒンジ軸部材４０は、矩形平板状を成す保持プレート部材４１の一端部に設けた円柱状部材であり、保持プレート部材４１に対して直交する方向に延在している。このヒンジ軸部材４０は、上述したヒンジプレート部材３０のヒンジ部３４に設けた軸挿通孔３４ａに嵌合することのできる大きさを有し、かつこの軸挿通孔３４ａを貫通するに十分な長さを有している。
【００１４】
ヒンジ軸部材４０の先端部には、その軸心を通過する部位に抜け止めピン４２が貫通保持させてある。抜け止めピン４２は、ピン挿通溝３４ｂの幅よりも小さい外径を有し、かつヒンジ軸部材４０の軸心を軸挿通孔３４ａの軸心に合致させた状態で適宜回転させることによりピン挿通溝３４ｂに挿通させることが可能である。
【００１５】
これらのヒンジプレート部材３０及びヒンジ軸部材４０を備えたヒンジ装置は、自動販売機の正面向かって左側の上隅部において本体キャビネット１０の内側部分にヒンジプレート部材３０を取り付ける一方、外扉２０の内側部分に保持プレート部材４１を介してヒンジ軸部材４０を取り付け、ヒンジプレート部材３０のヒンジ部３４にヒンジ軸部材４０を回転可能に支承させることにより、本体キャビネット１０に対して外扉２０を開閉可能に支持する。
【００１６】
より具体的には、図２に示すように、ヒンジプレート部材３０の上壁取付部３１に設けたボルト挿通孔３１ａ及びボルト挿通溝３１ｂを介して本体キャビネット１０の上壁下面にボルト５０を螺合させるとともに、側壁取付部３２に設けたボルト挿通孔３２ａを介して本体キャビネット１０の側壁内面にボルト５０を螺合させることにより、ヒンジ部３４を前方に向けて突出させた状態でヒンジプレート部材３０を本体キャビネット１０の内側部分に取り付ける。この時、上壁取付部３１に対して平行となる態様で延在したヒンジ部３４は、本体キャビネット１０の上壁１１の延長上となる部位に上壁１１に沿ってほぼ水平となる姿勢で前方に突出することになる。
【００１７】
一方、ヒンジ軸部材４０は、保持プレート部材４１に設けたボルト挿通孔４１ａを介して外扉２０における上壁２１の下面にボルト５１を螺合させることにより、先端を鉛直下方に向ける態様で外扉２０の内側部分に取り付ける。その後、抜け止めピン４２をピン挿通溝３４ｂに合致させた状態でヒンジ軸部材４０をヒンジプレート部材３０の軸挿通孔３４ａに挿通させれば、上下方向に沿って延在したヒンジ軸部材４０の軸心を揺動軸心として本体キャビネット１０に外扉２０を開閉可能に支持させることが可能となる。
【００１８】
ヒンジ軸部材４０に設ける抜け止めピン４２とヒンジプレート部材３０のヒンジ部３４に設けるピン挿通溝３４ｂとの関係は、図６に示すとおりである。
【００１９】
すなわち、図６（ａ）に示すように、本体キャビネット１０に対して外扉２０を閉成した状態、並びに図６（ｃ）に示すように、本体キャビネット１０に対して外扉２０を最も大きく開成した状態においては、いずれも互いに異なる位置となり、そのまま外扉２０を上方に移動させた場合にもヒンジ軸部材４０がヒンジ部３４の軸挿通孔３４ａから抜去できない。
【００２０】
一方、図６（ｂ）に示すように、本体キャビネット１０に対して外扉２０を予め設定した量だけ開成した場合に互いに合致し、そのまま外扉２０を上方に移動させればヒンジ軸部材４０をヒンジ部３４の軸挿通孔３４ａから抜去できるように構成してある。
【００２１】
尚、図には明示していないが、自動販売機の正面向かって左側の下隅部にも本体キャビネット１０と外扉２０との間にヒンジ装置が設けてある。このヒンジ装置は、上述したものと同様の構成を有したものであっても良いし、従来から一般的に用いられているヒンジ装置であっても構わない。
【００２２】
上記のようなヒンジ装置を適用する自動販売機によれば、本体キャビネット１０に対して外扉２０を閉成した場合、ヒンジプレート部材３０及びヒンジ軸部材４０のいずれもが外部に露出しないため、これらを破壊することが困難となり、その防盗性を向上させることが可能となる。
【００２３】
しかも、仮に建設機械等の大型機械を適用して外扉２０を変形させたとしても、本体キャビネット１０に対して外扉２０を閉成した状態においてはヒンジ軸部材４０に設けた抜け止めピン４２がヒンジプレート部材３０のヒンジ部３４に当接し、ヒンジ軸部材４０をヒンジ部３４の軸挿通孔３４ａから抜去することができないため、外扉２０を取り外すこともきわめて困難である。
【００２４】
また、上下方向に沿って延在したヒンジ軸部材４０を支持するためのヒンジ部３４が、本体キャビネット１０の上壁１１の延長上となる部位に上壁１１に沿ってほぼ水平となる姿勢で前方に突出しているため、本体キャビネット１０の前面開口域を何等覆うことがない。従って、本体キャビネット１０に対して商品収納ラックを出し入れする際や商品収納ラックに対して商品を収納する場合に、ヒンジ装置の構成要素が邪魔となることがなく、メンテナンス時の作業性を何等損なうことがない。
【００２５】
さらに、ヒンジ部３４に設けた逃げ溝３４ｃにより、ヒンジプレート部材３０と相互に干渉させることなく外扉２０を大きく開成することが可能であり、上述したメンテナンス作業をより一層容易に行うことが可能となる。
【図面の簡単な説明】
【００２６】
【図１】本発明の実施の形態であるヒンジ装置の適用対象となる自動販売機を概念的に示す正面図である。
【図２】図１に示した自動販売機に適用するヒンジ装置の要部を示す分解斜視図である。
【図３】図２に示したヒンジ装置のヒンジプレート部材及びヒンジ軸部材を示す図である。
【図４】図１に示した自動販売機の要部を示す斜視図である。
【図５】図１に示した自動販売機の要部を示す正面図である。
【図６】図１に示した自動販売機の要部を示す断面底面図である。
【符号の説明】
【００２７】
１０      本体キャビネット
１１      上壁
２０      外扉
２１      上壁
３０      ヒンジプレート部材
３１      上壁取付部
３１ａ      ボルト挿通孔
３１ｂ      ボルト挿通溝
３２      側壁取付部
３２ａ      ボルト挿通孔
３３      斜面部
３４      ヒンジ部
３４ａ      軸挿通孔
３４ｂ      ピン挿通溝
３４ｃ      逃げ溝
４０      ヒンジ軸部材
４１      保持プレート部材
４１ａ      ボルト挿通孔
４２      抜け止めピン
５０      ボルト
５１      ボルト
【図１】
2006023925.tif 000003
【図２】
2006023925.tif 000004
【図３】
2006023925.tif 000005
【図４】
2006023925.tif 000006
【図５】
2006023925.tif 000007
【図６】
2006023925.tif 000008